(57)【要約】【課題】降雪環境下でも良好な撮影を行うことができるテレビレンズ装置を提供する。【解決手段】本発明のテレビレンズ装置１０は、前玉レンズ１４等の撮影光学系を保持するレンズ鏡胴１６と、レンズ鏡胴１６を覆う角筒状のカバー１８と、カバー１８の前端に取り付けられるフード２０とを備える。フード２０は、前玉１４よりも突出して配置される角筒状のフード本体２２と、フード本体２２に着脱自在に取り付けられる遮光板２６とを備える。【選択図】  図１
2008046483.tif 000002
【特許請求の範囲】
【請求項１】
撮影光学系を保持するレンズ鏡胴と、該レンズ鏡胴を覆う角筒状のカバーと、該カバーの前端に取り付けられるフードと、を備えたテレビレンズ装置において、
前記フードは、
前記カバーの前端に取り付けられる角筒状のフード本体と、
該フード本体に着脱自在に取り付けられることによって前記フード本体の内側下部を塞ぐ遮光板と、を備えることを特徴とするテレビレンズ装置。
【請求項２】
前記遮光板と前記フード本体の少なくとも一方には磁石が設けられ、該磁石によって前記遮光板が前記フード本体に着脱自在に取り付けられることを特徴とする請求項１に記載のテレビレンズ装置。
【請求項３】
前記フード本体には前記遮光板を位置決めするための突起部が設けられることを特徴とする請求項１又は２に記載のテレビレンズ装置。
【請求項４】
撮影光学系を保持するレンズ鏡胴と、該レンズ鏡胴を覆う角筒状のカバーと、該カバーの前端に取り付けられるフードと、を備えたテレビレンズ装置において、
前記フードは、
前記カバーの前端に取り付けられる角筒状のフード本体と、
該フード本体に揺動自在に取り付けられ、前記フード本体の内側下部を塞ぐ遮光板と、を備えたことを特徴とするテレビレンズ装置。
【発明の詳細な説明】
【技術分野】
【０００１】
本発明はテレビレンズ装置に係り、特に遮光用のフードを備えたテレビレンズ装置に関する。
【背景技術】
【０００２】
テレビレンズ装置は、放送用又は業務用のテレビカメラのカメラ本体に装着されるレンズ装置であり、一般に、撮影光学系を保持する円筒状のレンズ鏡胴と、このレンズ鏡胴を覆う角筒状のカバーと、カバーの前端（被写体側）に装着された角筒状のフードとによって構成される（特許文献１参照）。フードは、撮影レンズの前玉レンズよりも前方に位置するように配置されており、このフードによって撮影に不必要な光が遮られ、フレア等が発生することが防止される。
【０００３】
特許文献１は、フードがレンズ鏡胴に隙間なく密着するように取り付けられており、これによって、塵・水滴等が装置内部に進入することを防止することができる。
【特許文献１】特開２００５−２１５５７３号公報
【発明の開示】
【発明が解決しようとする課題】
【０００４】
しかしながら、特許文献１のテレビレンズ装置は、塵や水滴への対策が採られているものの、雪に対する対策が採られていない。すなわち、特許文献１は、降雪環境下で撮影を行うと、撮影レンズの前玉レンズよりも前側のフード内に雪が積もって撮影画像に映り込み、良好な撮影ができなくなるという問題があった。
【０００５】
本発明はこのような事情に鑑みてなされたもので、降雪環境下でも良好な撮影を行うことができるテレビレンズ装置を提供することを目的とする。
【課題を解決するための手段】
【０００６】
請求項１に記載の発明は前記目的を達成するために、撮影光学系を保持するレンズ鏡胴と、該レンズ鏡胴を覆う角筒状のカバーと、該カバーの前端に取り付けられるフードと、を備えたテレビレンズ装置において、前記フードは、前記カバーの前端に取り付けられる角筒状のフード本体と、該フード本体に着脱自在に取り付けられることによって前記フード本体の内側下部を塞ぐ遮光板と、を備えることを特徴とする。
【０００７】
請求項１に記載の発明によれば、遮光板がフード本体に着脱自在に設けられるので、遮光板をフード本体から取り外すことによって、フード本体の内部に積もった雪を簡単に払い落とすことができる。
【０００８】
請求項２に記載の発明は請求項１の発明において、前記遮光板と前記フード本体の少なくとも一方には磁石が設けられ、該磁石によって前記遮光板が前記フード本体に着脱自在に取り付けられることを特徴とする。請求項２の発明によれば、磁石によって遮光板がフード本体に取り付けられるので、遮光板の着脱を容易に行うことができる。
【０００９】
請求項３に記載の発明は請求項１又は２の発明において、前記フード本体には前記遮光板を位置決めするための突起部が設けられることを特徴とする。請求項３に記載の発明によれば、フード本体に位置決め用の突起部が設けられるので、遮光板をフード本体の所定の位置に正確に取り付けることができ、所望の遮光効果を得ることができる。
【００１０】
請求項４に記載の発明は前記目的を達成するために、撮影光学系を保持するレンズ鏡胴と、該レンズ鏡胴を覆う角筒状のカバーと、該カバーの前端に取り付けられるフードと、を備えたテレビレンズ装置において、前記フードは、前記カバーの前端に取り付けられる角筒状のフード本体と、該フード本体に揺動自在に取り付けられ、前記フード本体の内側下部を塞ぐ遮光板と、を備えたことを特徴とする。
【００１１】
請求項４に記載の発明によれば、遮光板がフード本体に対して揺動自在に設けられるので、遮光板を揺動させることによって、フード本体の内部に積もった雪を払い落とすことができる。
【発明の効果】
【００１２】
本発明によれば、遮光板がフード本体に対して着脱自在又は揺動自在に設けられるので、フード本体の内部に積もった雪を簡単に払い落とすことができ、降雪環境下でも良好な撮影を行うことができる。
【発明を実施するための最良の形態】
【００１３】
以下添付図面に従って本発明に係るテレビレンズ装置用フードの好ましい実施の形態について詳述する。
【００１４】
図１は本発明に係るテレビレンズ装置用フードを装着したテレビレンズ装置を示す斜視図である。同図に示すテレビレンズ装置１０は、放送用又は業務用のテレビカメラのカメラ本体１２に装着されて使用される。
【００１５】
テレビレンズ装置１０は主として、前玉レンズ１４等の撮影光学系を保持するレンズ鏡胴１６と、このレンズ鏡胴１６を覆うカバー１８と、このカバー１８の前端（被写体側）に取り付けられるフード２０によって構成される。カバー１８は、角筒状に形成されており、その後端部にはカメラ本体１２に装着するためのマウント（不図示）が設けられる。
【００１６】
フード２０は、角筒状に形成されたフード本体２２と、このフード本体２２に取り付けられる二枚の遮光板２４、２６とによって構成される。フード本体２２は、カバー１８の前端に取り付けられ、その先端は撮影光学系の前玉レンズ１４よりも前方に突出するように配置される。二枚の遮光板２４、２６は、フード本体２２の前玉レンズ１４よりも突出した位置に取り付けられ、撮影レンズに入射する不必要な光を遮光板２４、２６で遮るように構成される。
【００１７】
図２に示すように、上側の遮光板２４は、断面がＬ状に形成されるとともに、幅方向（図２の奥行き方向）の長さがフード本体２２の内側の幅寸法と略同じ寸法で形成される。また、図３に示すように遮光板２４は、両端部２４ａ、２４ａの高さが中央部２４ｂの高さよりも大きく形成されており、けられの発生を防止しつつ、有害光を確実に遮光してフレアの発生を防止できるようになっている。この遮光板２４は、フード本体２２の天板の下面（内側面）に取り付けられて固定される。
【００１８】
一方、下側の遮光板２６は、上側の遮光板２４と同様に、断面がＬ状に形成され、且つ、幅方向の長さがフード本体２２の内側の幅寸法と同じ寸法で形成される。また、遮光板２６は、両端部２６ａ、２６ａの高さが中央部２６ｂの高さよりも大きく形成されており、けられの発生を防止しつつ、有害光を確実に遮光してフレアの発生を防止できるようになっている。この遮光板２６は、フード本体２２の底板の上面（内側面）に着脱自在に取り付けられる。すなわち、図４に示すように、遮光板２６の取付面（フード本体２２に当接される面）２６ｃには、板状の磁石２８、２８が埋め込み固定されており、この磁石２８、２８が金属製のフード本体２２に磁着するようになっている。なお、フード本体２２が樹脂等の非金属の場合には、フード本体２２にも磁石を設けておくとよい。また、遮光板２６を金属で形成し、フード本体２２に磁石を設けてもよい。
【００１９】
フード本体２２の底板には、遮光板２６を位置決めするための突起部２２Ａ、２２Ａが設けられている。突起部２２Ａ、２２Ａは、図３に示すように幅方向の両端部に設けられている。遮光板２６は、図２に示すように突起部２２Ａ、２２Ａに当接するようにして装着される。これにより、遮光板２６がフード本体２２の底板に正確に位置決めされて取り付けられ、所望の遮光効果を得ることができる。
【００２０】
フード本体２２の底板には、水抜き用の孔２２Ｂが設けられる。孔２２Ｂは、遮光板２６よりも基端側（カメラ本体１２側）に形成されており、遮光板２６よりも基端側に進入した水や雪は、この孔２２Ｂを介して下方に排出される。なお、図３には、幅方向に長いスリット状の孔２２Ｂを示したが、孔２２Ｂの形状はこれに限定するものではなく、丸孔や角孔等であってもよい。
【００２１】
次に上記の如く構成されたテレビレンズ装置１０の作用について説明する。
【００２２】
フード２０は、遮光効果を得るために、前玉レンズ１４よりも突出して配置されている。したがって、降雪環境下でテレビレンズ装置１０を使用すると、前玉レンズ１４から突出したフード２０の内部に雪が積もり、良好な撮影ができなくなるという問題が生じる。特に遮光板２６を有するフード２０では、雪が遮光板２６と前玉レンズ１４との間に入り込んで積もりやすいという問題が生じる。
【００２３】
この問題を解消するために本実施の形態では、フード本体２２に対して遮光板２６が着脱自在に設けられている。したがって、遮光板２６をフード本体２２から取り外すことによって、フード本体２２の内部に積もった雪を容易に払い落とすことができる。その際、遮光板２６は磁石２８、２８によってフード本体２２に取り付けられているので、遮光板２６を容易に取り外すことができ、且つ、遮光板２６をフード本体２２に容易に取り付けることができる。
【００２４】
また、本実施の形態によれば、フード本体２２に遮光板２６の位置決め用の突起部２２Ａ、２２Ａが設けられているので、遮光板２６を正確な位置に取り付けることができ、所望の遮光効果を得ることができる。
【００２５】
なお、上述した第１の実施形態は、遮光板２６を磁石２８、２８によってフード本体２２に装着するようにしたが、遮光板２６の着脱手段はこれに限定するものではなく、嵌合や係合等によりフード本体２２に着脱自在に取り付けるようにしてもよい。たとえば、遮光板２６の取付面にゴム等の弾性材から成る突起部を複数設け、この複数の突起部を、フード本体２２の底板に形成した孔に嵌入するようにしてもよい。
【００２６】
また、上述した第１の実施形態において、フード本体２２にガイド手段を設け、遮光板２６の取り外し方向を光軸方向に規制してもよい。この場合には、遮光板２６をフード本体２２から取り外す際に、遮光板２６が前方に移動し、積もった雪を遮光板２６によって掻き落とすことができる。
【００２７】
次に第２の実施形態のテレビレンズ装置について説明する。図５は、第２の実施形態における下側の遮光板３０を示す側面断面図である。同図に示すように、第２の実施形態の遮光板３０は、板状に形成されており、蝶番部材３２によってフード本体２２の底板部に取り付けられる。これにより、遮光板３０は、二点鎖線で示すように前側に回動するように構成される。
【００２８】
遮光板３０には、不図示の付勢手段（たとえばねじりコイルばね）が取り付けられており、遮光板３０は立設する方向に付勢される。なお、蝶番部材３２は、遮光板３０が垂直に立設する位置（図５に実線で示す位置）よりも基端側には回動しないように構成される。よって、遮光板３０は、自然状態（力を与えない状態）で垂直に立設し、付勢手段に抗して前側に力を加えることによって回動して倒れるようになっている。
【００２９】
上記の如く構成された第２の実施形態によれば、遮光板３０を倒すことができるので、フード本体２２の内部に積もった雪を簡単に払い落とすことができる。
【００３０】
なお、上述した第２の実施形態では、遮光板３０をフード本体２２の底板部に回動自在に取り付けたが、図６に示すようにフード本体２２の側壁部に回動自在に取り付けてもよい。この場合には、二点鎖線で示す如く遮光板３０を回動させることにより、フード本体２２内に積もった雪を遮光板３０で掻き落とすことができる。
【図面の簡単な説明】
【００３１】
【図１】本発明に係るテレビレンズ装置の第１の実施形態を示す斜視図
【図２】図１のテレビレンズ装置の先端部分を示す断面図
【図３】図１の遮光板を取り外したテレビレンズ装置の分解斜視図
【図４】遮光板の別方向からの斜視図
【図５】本発明に係るテレビレンズ装置の第２の実施形態の遮光板を示す断面図
【図６】図５と異なる構造のテレビレンズ装置を示す斜視図
【符号の説明】
【００３２】
１０…テレビレンズ装置、１２…カメラ本体、１４…前玉レンズ、１６…レンズ鏡胴、１８…カバー、２０…フード、２２…フード本体、２２Ａ…突起部、２４…遮光板、２６…遮光板、２８…磁石、３０…遮光板、３２…蝶番部材
【図１】
2008046483.tif 000003
【図２】
2008046483.tif 000004
【図３】
2008046483.tif 000005
【図４】
2008046483.tif 000006
【図５】
2008046483.tif 000007
【図６】
2008046483.tif 000008